(57)【要約】      （修正有）【課題】安定して牽引を行うことができ、段差や階段であっても、良好に牽引することができる車椅子牽引具を提供する。【解決手段】牽引具２００を使用するときは、メインポール２１０を伸ばすとともに、肩掛け棒２２０や取っ手棒２３０を引き出して伸ばす。そして、牽引者２４０の身長に合わせて、回動取付具をスライドさせて、肩掛け棒２２０や取っ手棒２３０の高さを調整する。牽引者２４０は、肩掛け棒２２０を肩に掛けるとともに、取っ手棒２３０を持って引くようにする。すると、肩掛け棒２２０や取っ手棒２３０が路面と平行な方向となっているため、小径の前輪１１２と大径の駆動輪１１０の両方が接地した状態で走行が行われるようになり、段差があっても安定して車椅子１００の牽引を行うことができるようになる。【選択図】図１
2019208700.tif 000002
【特許請求の範囲】
【請求項１】
車椅子を牽引する車椅子牽引具であって、
前記車椅子のバックフレームに沿って設けられた左右一対のメインポール，
該メインポールから後方に延設されており、牽引者が手で引く左右一対の取っ手棒，
を備えたことを特徴とする車椅子牽引具。
【請求項２】
前記メインポールから後方に延設されており、前記取っ手棒よりも上方であって、牽引者の肩に掛ける一対の肩掛け棒，
を備えたことを特徴とする請求項１記載の車椅子牽引具。
【請求項３】
前記車椅子の前輪及び駆動輪が接地した状態において、前記取っ手棒が路面と平行となるように、前記メインポールに対して前記取っ手棒を取り付けたことを特徴とする請求項１又は２記載の車椅子牽引具。
【請求項４】
前記車椅子の駆動輪のみが接地した状態において、前記取っ手棒が路面と平行となるように、前記メインポールに対して前記取っ手棒を取り付けたことを特徴とする請求項１又は２記載の車椅子牽引具。
【請求項５】
車椅子を牽引する車椅子牽引具であって、
車椅子側に設けた牽引具と、車両側に設けた牽引補助具とによって構成されており、
前記牽引具は、
前記車椅子のバックフレームに沿って設けられた左右一対のメインポール，
該メインポールから後方に延設されており、前記牽引補助具に接続するための取っ手棒，
を備えており、
前記牽引補助具は、
車両の荷台に対して収納可能な補助フレーム，
該補助フレームに設けられており、前記荷台から前記補助フレームを引き出したときに、後方を向く連結器，
を備えており、
前記取っ手棒を前記連結器に連結することを特徴とする車椅子牽引具。
【請求項６】
前記車椅子の駆動輪のみが接地した状態において、前記取っ手棒が路面と平行となるように、前記メインポールに対して前記取っ手棒を取り付けたことを特徴とする請求項５記載の車椅子牽引具。
【請求項７】
前記取っ手棒を、連結棒を介して、前記連結器に連結したことを特徴とする請求項５又は６記載の車椅子牽引具。
【請求項８】
前記取っ手棒が前記メインポールから一対延設されており、
該取っ手棒の先端に曲折可能な腕を設け、これら腕を前記連結棒に結合したことを特徴とする請求項７記載の車椅子牽引具。
【請求項９】
斜面ないし階段を牽引するときは、前記取っ手棒を前記メインポール側に曲折させることを特徴とする請求項８記載の車椅子牽引具。
【請求項１０】
前記牽引具と牽引補助具との間にロープを張設したことを特徴とする請求項５〜９のいずれか一項に記載の車椅子牽引具。
【請求項１１】
前記メインポールに、照明灯ないし警告灯を設けたことを特徴とする請求項１〜１０のいずれか一項に記載の車椅子牽引具。
【請求項１２】
前記車椅子牽引具を構成する各部を、伸縮自在，曲折自在，分解自在のいずれかとして、前記車椅子に収納することを特徴とする請求項１〜１１のいずれか一項に記載の車椅子牽引具。
【発明の詳細な説明】
【技術分野】
【０００１】
本発明は、車椅子の牽引具に関するものであり、特に災害発生時などに好適な車椅子牽引具の改良に関するものである。
【背景技術】
【０００２】
車椅子の牽引具に関する背景技術としては、例えば、下記特許文献１記載の「車椅子牽引具」がある。これは、使用時には邪魔にならない一方、使用時には車椅子の牽引を容易に行うことを目的としたもので、車椅子に対して着脱可能に固定された取付部材に、直棒状の伸縮自在の牽引部材を取り付け、これを、鉛直方向に起立した退避位置から前方に傾斜した牽引位置まで回動して伸ばすことで、車椅子を牽引するようにしたものである。
【先行技術文献】
【特許文献】
【０００３】
【特許文献１】実用新案登録第3214112号公報
【発明の概要】
【発明が解決しようとする課題】
【０００４】
ところで、車椅子は、一般的に前輪が後輪よりも小さく、また回転自在のキャスタ構造となっている。これに対し、上述した背景技術の牽引具を使用すると、前のめりの姿勢となり、前輪で車椅子を支えるようになってしまう。このため、車椅子の動きが不安定となって、上手く牽引できない恐れがある。また、段差を乗り越えたりすることも不便である。
【０００５】
本発明は、以上のような点に着目したもので、安定して牽引を行うことができ、段差や階段であっても、良好に牽引することができる車椅子牽引具を提供することを、その目的とするものである。
【課題を解決するための手段】
【０００６】
本発明は、車椅子を牽引する車椅子牽引具であって、前記車椅子のバックフレームに沿って設けられた左右一対のメインポール，該メインポールから後方に延設されており、牽引者が手で引く左右一対の取っ手棒，を備えたことを特徴とする。
【０００７】
主要な形態の一つによれば、前記メインポールから後方に延設されており、前記取っ手棒よりも上方であって、牽引者の肩に掛ける一対の肩掛け棒，を備えたことを特徴とする。他の形態としては、前記車椅子の前輪及び駆動輪が接地した状態において、前記取っ手棒が路面と平行となるように、前記メインポールに対して前記取っ手棒を取り付けたことを特徴とする。あるいは、前記車椅子の駆動輪のみが接地した状態において、前記取っ手棒が路面と平行となるように、前記メインポールに対して前記取っ手棒を取り付けたことを特徴とする。
【０００８】
他の発明は、車椅子を牽引する車椅子牽引具であって、車椅子側に設けた牽引具と、車両側に設けた牽引補助具とによって構成されており、前記牽引具は、前記車椅子のバックフレームに沿って設けられた左右一対のメインポール，該メインポールから後方に延設されており、前記牽引補助具に接続するための取っ手棒，を備えており、前記牽引補助具は、車両の荷台に対して収納可能な補助フレーム，該補助フレームに設けられており、前記荷台から前記補助フレームを引き出したときに、後方を向く連結器，を備えており、前記取っ手棒を前記連結器に連結することを特徴とする。
【０００９】
主要な形態の一つによれば、前記車椅子の駆動輪のみが接地した状態において、前記取っ手棒が路面と平行となるように、前記メインポールに対して前記取っ手棒を取り付けたことを特徴とする。他の形態としては、前記取っ手棒を、連結棒を介して、前記連結器に連結したことを特徴とする。あるいは、前記取っ手棒が前記メインポールから一対延設されており、該取っ手棒の先端に曲折可能な腕を設け、これら腕を前記連結棒に結合したことを特徴とする。更には、斜面を牽引するときは、前記取っ手棒を前記メインポール側に曲折させることを特徴とする。更に他の形態としては、前記牽引具と牽引補助具との間にロープを張設したことを特徴とする。
【００１０】
前記いずれかの発明に対する他の形態としては、前記メインポールに、照明灯ないし警告灯を設けたことを特徴とする。あるいは、前記車椅子牽引具を構成する各部を、伸縮自在，曲折自在，分解自在のいずれかとして、前記車椅子に収納することを特徴とする。本発明の前記及び他の目的，特徴，利点は、以下の詳細な説明及び添付図面から明瞭になろう。
【発明の効果】
【００１１】
本発明によれば、車椅子のバックフレームに沿ってメインポールを設け、該メインポールから後方に取っ手棒を延設して、これを牽引者もしくは車両で牽引することとしたので、前輪及び駆動輪が接地するときは、高齢者であっても車椅子を牽引することができ、駆動輪のみが設置するときは、段差などがあっても、安定して車椅子の牽引を行うことができる。
【図面の簡単な説明】
【００１２】
【図１】本発明の実施例１の車椅子牽引具を示す図である。
【図２】本発明の実施例２の車椅子牽引具を示す図である。
【図３】本発明の実施例３の車椅子牽引具を示す図である。
【図４】前記実施例３の取っ手棒の構成を示す図である。
【図５】前記実施例３の自転車側の牽引補助具を示す図である。
【図６】前記実施例３の階段における牽引の様子を示す図である。
【発明を実施するための形態】
【００１３】
以下、本発明を実施するための形態を、実施例に基づいて詳細に説明する。図１(A)には、本実施例の牽引具の全体が示されており、同図(B)には主要部が示されている。これらの図において、車椅子１００の全体を支持するフレーム１０２の側面には、大径のハンドリム付き駆動輪１１０及び小径の前輪（キャスタ）１１２が、それぞれ左右一対設けられており、前側には、レッグサポート１２０，一対のフットサポート１２２がそれぞれ設けられている。また、使用者が越し掛ける座面１３０には、側面にアームサポート１３２が一対設けられており、背面には、バックサポート１３４，左右一対の手押しハンドル１３６が、それぞれ設けられている。他に、ブレーキや、サイドガードなどが設けられている（図示せず）。これらの構成は、一般的な車椅子と同様である。
【００１４】
ところで、本実施例では、前記車椅子１００の背面側に、牽引具２００が設けられている。牽引具２００は、上述したバックサポート１３４を支える左右一対のバックフレーム１３５の内側に沿って設けられている左右一対のメインポール２１０に対して、肩掛け棒２２０及び取っ手棒２３０を路面と平行となる方向に延設した構成となっている。取っ手棒２３０は、例えば７０ｃｍ程度の長さとする。
【００１５】
これらのうち、メインポール２１０は伸縮自在となっており、下端がバックフレーム１３５に沿って設けられたポケット２１２に収納されている。メインポール２１０の先端には、照明灯２１４と警告灯ないし赤色灯２１６が設けられており、駆動用の電池は、メインポール２１０内に収納されている。なお、照明灯２１４と赤色灯２１６を点灯するためのスイッチを設けてもよいし、メインポール２１０を伸ばすと、自動的にスイッチがＯＮとなるようにしてもよい。これら照明灯２１４と警告灯ないし赤色灯２１６を設けることで、特に夜間における避難時に安全に牽引を行うことができる。
【００１６】
肩掛け棒２２０は、必要に応じて設けられ、その一端が、回動取付具２２２を介してメインポール２１０に取り付けられており、他端が湾曲して、牽引者の肩にかかるようになっている。なお、肩掛け棒２２０も伸縮自在としてよいし、ロープなどとしてもよい。一方、取っ手棒２３０は、一端側が回動取付具２３２を介してメインポール２１０に取り付けられている。取っ手棒２３０も伸縮自在としてよい。
【００１７】
回動取付具２２２，２３２は、いずれもメインポール２１０に対してスライド可能となっており、これにより、肩掛け棒２２０や取っ手棒２３０の上下方向の位置を調整できるようになっている。
【００１８】
まず、牽引具２００を使用しないときは、肩掛け棒２２０や取っ手棒２３０を縮めて下側に倒すとともに、更にメインポール２１０も縮めるようにする。図１(C)に示すように、メインポール２１０などを分割し、ボルト・ナット手段２１１により結合して組み立てるようにしてもよい。長さが縮められた牽引具２００は、車椅子１００の背面側や座面下などに収納される。
【００１９】
次に、牽引具２００を使用するときは、図１に示すように、メインポール２１０を伸ばすとともに、肩掛け棒２２０や取っ手棒２３０を引き出して伸ばすようにする。そして、牽引者２４０の身長に合わせて、回動取付具２２２，２３２をスライドさせて、肩掛け棒２２０や取っ手棒２３０の高さを調整する。牽引者２４０は、肩掛け棒２２０を肩に掛けるとともに、取っ手棒２３０を持って引っ張るようにする。すると、肩掛け棒２２０や取っ手棒２３０の高さが路面と平行な方向となっていることから、車椅子１００は、駆動輪１１０と前輪１１２の両方が接地した状態で、スムーズに移動することができる。従って、牽引者２４０が高齢者であっても、車椅子１００を牽引して、車椅子１００の利用者を搬送することができる。また、牽引者２４０が牽引中に転ぶようなことがあっても、取っ手棒２３０の先端が地面に接触してつっかえ棒のように作用し、車椅子１００が後方に倒れるのが防止される。
【００２０】
加えて、階段などを上がるときは、肩掛け棒２２０を引っ張るようにしてもよい。例えば、津波被害を避けるためには、海岸や川から遠くに逃げるのではなく、高いところに避難することが重要である。このような場合、車椅子１００で階段を上らなくてはならないが、このときに、肩掛け棒２２０を階段の上から引っ張るようにすることで、前輪１１２が浮いて駆動輪１１０のみが階段の段差に当たるようになり、スムースに階段を上がることができる。後述する実施例２についても同様である。
【実施例１】
【００２１】
次に、図２を参照しながら、本発明の実施例２について説明する。同図(A)は、牽引前の状態を示し、同図(B)は牽引時の状態を示す。これらの図において、本実施例の牽引具２５０は、上述した実施例１の牽引具２００と基本的には同じ構成であるが、取っ手棒２５２が、メインポール２１０に対して一定の角度、例えば取っ手棒２５２を路面と平行にしたときに、メインポール２１０が１０〜２０度、具体的には１５度程度傾くように角度が設定されている。前記実施例１における角度をΘＡとすると、ΘＢ＝ΘＡ−１５度となっている。このため、牽引者２４０が、取っ手棒２５２を路面と平行に保つようにすると、車椅子１００は、てこの原理で、車椅子１００が１５度程度後ろ側に傾くようになり、小径の前輪１１２が浮いて、大径の駆動輪１１０による走行が行われるようになる。このため、小回りが利くようになり、段差の昇り降りなどもスムースに行うことができる。
【実施例２】
【００２２】
次に、図３〜図６を参照しながら、本発明の実施例３について説明する。本実施例は、図３に示すように、車椅子１００を自転車３００によって牽引するようにした例で、車椅子１００に牽引具４００が設けられており、自転車３００に牽引補助具５００が設けられている。
【００２３】
本実施例の取っ手棒４１０は、上述した実施例１と同様の角度でメインポール２１０に取り付けられており、平行となった状態で、メインポール２１０に接合されている。このため、車椅子１００は、駆動輪１１０と前輪１１２の両方が接地した状態で移動する。図４(A)に取っ手棒４１０の詳細を平面から示すように、左右一対の平行な取っ手棒４１２，４１４に腕４１２Ａ，４１４Ａが設けられており、これら腕４１２Ａ，４１４Ａは、同図(B)に示すように曲折可能となっている。そして、同図(C)に示すように、腕４１２Ａ，４１４Ａを曲折して先端の穴４１２Ｂ，４１４Ｂを重ねるとともに、同図(D)に示すように、結合具４２２により連結棒４２０の一端が結合される。なお、結合具４２２は、後述するように、取っ手棒４１０と連結棒４２０を折り曲げることができるユニバーサルジョイントのような構造となっている。
【００２４】
一方、自転車３００の牽引補助具５００は、図５に示すように、自転車３００の荷台３０２と、後輪シャフト３０４とに取り付けられており、側面から見ると、略コ字状の補助フレーム５１２，５１４，５１６によって構成されている。これらのうち、補助フレーム５１６は、蝶番５１６Ａにより折り畳み可能に構成されており、牽引補助具５００を、後輪シャフト３０４を中心として回動させることで、収納自在となっている。また、補助フレーム５１２には、連結器５２０が設けられている。牽引補助具５００を収納した状態では、図５(A)に示すように、補助フレーム５１２が荷台３０２上に位置しており、牽引補助具５００を引き出した状態では、同図(B)に示すように、連結器５２０が後方を向くようになる。
【００２５】
自転車３００で車椅子１００をけん引するときは、まず、図５(B)のように牽引補助具５００を引き出し、連結器５２０が後方に露出する位置とする。そして、図４(C)に示すように、車椅子１００側の牽引具４００の連結棒４２０を、自転車３００側の牽引補助具５００の連結器５２０に連結する。また、必要に応じて、ロープ４３０を、車椅子１００のフレーム１０２ないしメインポール２１０の適宜位置と、補助フレーム５１２との間に張設する。この状態で自転車３００のペダルを漕ぐことで、車椅子１００が牽引される。上述したように、車椅子１００は傾くことなく、駆動輪１１０と前輪１１２の両方が接地した状態で移動する。なお、このように、取っ手棒４１０や連結棒４２０といった牽引具４００と牽引補助具５００の接続部分が地面と平行となるようにしたので、牽引者が取っ手棒４１０を前記実施例１で示したように引くとともに、自転車３００による牽引も行うことができる。
【００２６】
図６には、階段ないし斜面を牽引する場合の様子が示されている。この場合は、同図(A)に示すように、車椅子１００のメインポール２１０に対して、牽引具４００の取っ手棒４１０を、結合具４２２から折り畳むようにする。必要があれば、メインポール２１０に取っ手棒４１０を固定する。このようにすることで、同図(B)に示すように、車椅子１００に対して、自転車３００が階段の上側に位置したとしても、車椅子１００の牽引姿勢が安定し、車椅子１００の大径の駆動輪１１０のみが、階段の段差に当たるようになり、段差を乗り越えて行くことができる。なお、必要であれば、補助者が、車椅子１００の下側から車椅子１００を押して補助するようにする。
【００２７】
このように、本実施例によれば、自転車３００に牽引補助具５００を設けて、車椅子１００の牽引具４００に連結することとしたので、自転車３００で車椅子１００を良好に牽引することができる。階段などの段差も、良好に乗り越えることができる。
【００２８】
なお、本発明は、上述した実施例に限定されるものではなく、本発明の要旨を逸脱しない範囲内において種々変更を加えることができる。例えば、以下のものも含まれる。
(1)車椅子の構造としては、各種のものが知られており、いずれの構造であってもよい。自転車についても同様である。また、自転車以外の車両に適用することを妨げるものではない。
(2)前記実施例で示した形状・寸法は一例であり、適宜変更してよい。
(3)回動取付具２２２，２３２や結合具４２２，連結器５２０も、同様の機能を奏する各種の公知のものを適用してよい。また、これら回動取付具や連結器として、ユニバーサルジョイント（自在接手）を使用することで、左右上下の動きが滑らかとなる。
(4)前記実施例で示したメインポール２１０，肩掛け棒２２０，取っ手棒２３０，取っ手棒４１０，連結棒４２０，補助フレーム５１２，５１４，５１６は、いずれも伸縮自在，曲折自在，ないし分解自在としてよい。
(5)前記実施例１では、牽引時に肩掛け棒２２０や取っ手棒２３０が路面と平行となるようにすることで、駆動輪１１０及び前輪１１２が接地するようにしたが、必ずしも路面と平行でなくてもよく、牽引者２４０にとって都合いい角度してよい。実施例２についても同様である。
(6)前記実施例で示した取っ手棒２３０や４１０を、リヤカーのようにＵ字状ないしコ字状としてもよい。
(7)前記実施例を組み合わせるようにしてもよい。例えば、取っ手棒２３０，４１０の角度を２段階に変更できるように構成し、通常は図１(A)に示す方法で車椅子１００を牽引し、小回りが必要な場合や段差があるときは図２に示す方法で車椅子１００を牽引するといった具合である。
【産業上の利用可能性】
【００２９】
本発明によれば、車椅子のバックフレームに沿ってメインポールを設け、該メインポールから後方に取っ手棒を延設して、これを牽引者もしくは車両で牽引することとしたので、前輪及び駆動輪が接地するときは、高齢者であっても車椅子を牽引することができ、駆動輪のみが設置するときは、段差などがあっても、安定して車椅子の牽引を行うことができるので、災害時などの避難時における車椅子の牽引に好適である。
【符号の説明】
【００３０】
１００：車椅子
１０２：フレーム
１１０：駆動輪
１１２：前輪
１２０：レッグサポート
１２２：フットサポート
１３０：座面
１３２：アームサポート
１３４：バックサポート
１３５：バックフレーム
１３６：ハンドル
２００：牽引具
２１０：メインポール
２１２：ポケット
２１４：照明灯
２１６：赤色灯
２２０：肩掛け棒
２２２，２３２：回動取付具
２３０：取っ手棒
２４０：牽引者
２５０：牽引具
２５２：取っ手棒
３００：自転車
３０２：荷台
３０４：後輪シャフト
４００：牽引具
４１０，４１２，４１４：取っ手棒
４１２Ａ，４１４Ａ：腕
４１２Ｂ，４１４Ｂ：穴
４２０：連結棒
４２２：結合具
４３０：ロープ
５００：牽引補助具
５１２，５１４，５１６：補助フレーム
５１６Ａ：蝶番
５２０：連結器
【図１】
2019208700.tif 000003
【図２】
2019208700.tif 000004
【図３】
2019208700.tif 000005
【図４】
2019208700.tif 000006
【図５】
2019208700.tif 000007
【図６】
2019208700.tif 000008